(57)【要約】【課題】  従来の開閉装置は構造が複雑で組立て作業性が悪く、高価である。【解決手段】  本体に押圧ボタン３０を押し込むと、ピン後退部材２５が移動し、その傾斜面部２７がロック部材２０の被係合部２０ａを押し下げる。これにより突出ピン２０ｂが後退し、受け座の回転阻止溝１０Ｃから外れる。【選択図】        図１
2007297816.tif 000002
【特許請求の範囲】
【請求項１】
開閉体に取付けられる受け座と、該受け座に回転可能に装着される本体とを備える開閉操作装置において、
前記受け座の前記本体と対向する面に設けられる回転阻止溝と、
前記本体内に設けられて該本体から後退可能に突出して前記回転阻止溝に係入する突出ピンを有するロック部材と、
該ロック部材に対し前記突出ピンを突出させるべく前記対向する面に向けて接近させる弾性力を付与する弾性部材と、
前記本体に押し込み可能に設けられる押圧ボタンと、
該押圧ボタンと一体的に形成され、該押圧ボタンの押し込みで前記ロック部材に係合する傾斜部を移動させて該ロック部材を前記弾性力に抗して前記対向する面から離間させるピン後退部材と、
を含むことを特徴とする開閉操作装置。
【発明の詳細な説明】
【技術分野】
【０００１】
本発明は、開閉扉の如き開閉体に取付けられ、その開閉の際に操作される開閉操作装置に関する。
【背景技術】
【０００２】
この種の開閉操作装置としては、例えば、下記特許文献１に開示されているハンドル装置が知られている。即ち、このハンドル装置は、開閉扉に固定される受け座に回転可能に装着される本体と、受け座の凹所に本体と連結して引き出し可能に収容されるハンドルとを備え、本体内に設けたカム機構を解錠操作してハンドルを開放し、該ハンドルを引き出して把持し、本体を回転させる、構成を有している。
【特許文献１】特願平６−１５９５２３号公報
【発明の開示】
【発明が解決しようとする課題】
【０００３】
しかし、上記したハンドル装置では、カム機構とハンドルとを施錠及び解錠可能に連結するため、構造が複雑化して高価になってしまう上に組立て作業に熟練を要し、かつ組立て時間が大きくなる欠点があった。
本発明は、構造が簡単で組立ての容易な開閉操作装置を提供することを目的とする。
【課題を解決するための手段】
【０００４】
本発明は以上の点を解決するために次の構成を備える。
＜構成＞
本発明は、開閉体に取付けられる受け座と、該受け座に回転可能に装着される本体とを備える開閉操作装置であって、
受け座の本体と対向する面に設けられる回転阻止溝と、本体内に設けられてこの本体から後退可能に突出して回転阻止溝に係入する突出ピンを有するロック部材と、このロック部材に対し突出ピンを突出させるべく上記対向する面に向けて接近させる弾性力を付与する弾性部材と、本体に押し込み可能に設けられる押圧ボタンと、この押圧ボタンと一体的に形成され、この押圧ボタンの押し込みでロック部材に係合する傾斜部を移動させてロック部材を弾性力に抗して上記対向する面から離間させるピン後退部材と、を含むことを特徴とする。
【発明の効果】
【０００５】
本発明によれば、押圧ボタンを本体に押し込むとピン後退部材の傾斜部が移動してロック部材を受け座の対向面から離間させるので、ロック部材の突出ピンがその後退で回転阻止溝から外れる。従って、ハンドルを設けなくても本体を直接的に回転させることができる。即ち、本発明は、本体にロック部材、弾性部材、押圧ボタンと一体化したピン後退部材を設けるだけの簡単な構造を有するので、組立て作業が容易になる上に安価な開閉操作装置を提供することが可能である。
【発明を実施するための最良の形態】
【０００６】
以下、本発明の実施形態を図面を参照して詳細に説明する。
図４及び図５は本発明に係る開閉操作装置の正面図と側面図である。この開閉操作装置は円形の受け座１０と、この受け座１０の円形凹所１０Ａに回転可能に装着されている本体１１とを備えている。受け座１０は図示しない開閉扉に取付けられる。本体１１は図４において上下の上記円形凹所１０Ａの周縁に沿っている円弧部１１Ａ、１１Ｂと、両側の凹面部１１Ｃ、１１Ｄとを有する操作体１２と、この操作体１２を閉塞する蓋体１３（図７参照）とから成る。
【０００７】
操作体１２には、図６に示すように、その内部にＴ字状凹所１４が形成され、このＴ字状凹所１４には図３で示すロック部材２０が収容される。このロック部材２０は、被係合部２０ａと、この被係合部２０ａから立ち上がる突出ピン２０ｂと、被係合部２０ａの端部に設けられている枢支軸２０ｃ、２０ｃとから成る。このロック部材２０はＴ字状凹所１４に図３（Ｂ）で示すように収容され、枢支軸２０ｃ、２０ｃを中心として回動変位する。被係合部２０ａの底面側にはコイルバネ２１の一端が係入される穴部２０ｄが設けられ、コイルバネ２１の他端は、図６に示すように、Ｔ字状凹所１４に形成されている穴部１４ａに係入されている。従って、ロック部材２０の被係合部２０ａはコイルバネ２１により弾性力を付与されて回動変位しており、これにより突出ピン２０ｂが蓋体１３の貫通穴１３ａから突出している（図７）。
【０００８】
蓋体１３は、図７（Ａ）、（Ｂ）に示すように、操作体１２にビス止めされて操作体１２を閉塞する板状の閉塞蓋１３Ａを有している。この閉塞蓋１３Ａには軸部２２が一体的に形成され、軸部２２は受け座１０の中央のボス１０Ｂ（図５参照）に貫挿されている。軸部２２には図示しない掛金がナットにより固定される。掛金は扉の取付けられる戸枠側のブラケット等に係合された状態で開閉扉を閉塞し、軸部２２の回転で回動するとブラケット等から外れ、開閉扉の開閉が可能となる。
【０００９】
再び図６において、操作体１２には、Ｔ字状凹所１４と連通する案内溝１５が形成されている。この案内溝１５には図１に示すピン後退部材２５の先端側が配されている。ピン後退部材２５はロック部材２０の突出ピン２０ｂが貫挿されている長孔２６と、ロック部材２０の被係合部２０ａが係合されている傾斜面部２７とを有している。
【００１０】
また、ピン後退部材２５は後端に突起２５ａ、２５ａが設けられて押圧ボタン３０が一体形成されている。突起２５ａ、２５ａは、操作体１２のストッパ１２ａ、１２ａに当接されて操作体１２からの抜け出しが防止されている。押圧ボタン３０は操作体１２の凹面部１１Ｃに設けた開口１２ｂから押込可能に突出している。
【００１１】
一方、受け座１０には、図１及び図４に示すように、凹所１０Ａの本体１１（蓋体１３）と対向する板面１０ａに、蓋体１３の貫通穴１３ａと整合させて回転阻止溝１０Ｃが形成されている。そして、蓋体１３の貫通穴１３ａから突出する突出ピン２０ｂは図１（Ａ）に示すように、回転阻止溝１０Ｃに係入している。従って、受け座１０側の回転阻止溝１０Ｃに、本体１１から突出する突出ピン２０ｂが係入するので、本体１１の回動操作が不能、つまり施錠状態となる。
【００１２】
次に、本発明の開閉操作装置の使用態様を動作と共に説明する。
操作体１２（本体１１）を指で把持しながら、親指により押圧ボタン３０を操作体１２内へ押し込む。
このように押圧ボタン３０を押し込むと、図２に示すように、ピン後退部材２５が矢印方向に案内溝１５に沿って移動する。この移動によって傾斜面部２７も移動するので、この傾斜面部２７に係合している被係合部２０ａが傾斜面部２７によりコイルバネ２１の弾性力に抗して押圧され、受け座１０の板面１０ａから離間する方向に押し下げられる。従って、突出ピン２０ｂは後退し、回転阻止溝１０Ｃから外れる。これにより、本体１１を回転操作することができるので、軸部２２を回転させて解錠し、開閉扉を開けることができる。
【００１３】
開閉扉を開いた後に閉じた場合には、押圧ボタン３０から指を離して操作体１２を逆方向に回転させる。これにより蓋体１３の貫通穴１３ａが回転阻止溝１０Ｃと整合すると、コイルバネ２１の弾性力により傾斜面部２７が被係合部２０ａにより押圧されるので、ピン後退部材２５が逆方向に移動し、これにより被係合部２０ａが板面１０ａに接近するので、突出ピン２０ｂが回転阻止溝１０Ｃに係入し、本体１１の回転が阻止される。
【００１４】
本実施例によれば、ロック部材２０をコイルバネ２１と共に操作体１２のＴ字状凹所１４に収容し、ピン後退部材２５を組み込んで閉塞蓋１３Ａをビス止めするだけで、本体１１を組み立てることができ、組立て作業が簡単である。
【図面の簡単な説明】
【００１５】
【図１】（Ａ）は本発明の開閉操作装置の要部の正面図、（Ｂ）は同装置の要部の平面図である。
【図２】図１（Ａ）で示す要部の動作説明図である。
【図３】（Ａ）は本発明に係るロック部材の正面図、（Ｂ）は同部材の平面図である。
【図４】本発明の開閉操作装置の正面図である。
【図５】本発明の開閉操作装置の側面図である。
【図６】本発明に係る操作体の正面図である。
【図７】（Ａ）は本発明に係る蓋体の正面図、（Ｂ）は同蓋体の側面図である。
【符号の説明】
【００１６】
１０    受け座
１０Ａ  凹所
１０Ｂ  ボス
１０Ｃ  回転阻止溝
１０ａ  板面
１１    本体
１１Ａ、１１Ｂ  円弧部
１１Ｃ、１１Ｄ  凹面部
１２    操作体
１２ａ  ストッパ
１２ｂ  開口
１３    蓋体
１３Ａ  閉塞蓋
１３ａ  貫通穴
１４    Ｔ字状凹所
１４ａ  穴部
１５    案内溝
２０    ロック部材
２０ａ  被係合部
２０ｂ  突出ピン
２０ｃ  枢支軸
２０ｄ  穴部
２１    コイルバネ
２２  軸部
２５  ピン後退部材
２５ａ  突起
２６  長孔
２７  傾斜面部
３０  押圧ボタン
【図１】
2007297816.tif 000003
【図２】
2007297816.tif 000004
【図３】
2007297816.tif 000005
【図４】
2007297816.tif 000006
【図５】
2007297816.tif 000007
【図６】
2007297816.tif 000008
【図７】
2007297816.tif 000009